(57)【要約】【課題】小型であるとともに、よりユーザに見やすい画像を提供する。【解決手段】受信した通信データから画像データを生成するＦＡＸ通信部１１と、ＦＡＸ通信部１１で生成した画像データをもとに画像を投影するプロジェクター部１２とを備えている。【選択図】図１
2007267013.tif 000002
【特許請求の範囲】
【請求項１】
通信データを受信する受信手段を備えたファクシミリ装置であって、
上記受信手段で受信した上記通信データから画像データを生成する画像データ生成手段と、
上記画像データ生成手段で生成した画像データをもとに画像を投影する投影手段とを備えていることを特徴とするファクシミリ装置。
【請求項２】
前記画像データを格納する格納部と、
ユーザの操作に応じて上記格納部から上記画像データを取得するとともに、取得した上記画像データをもとに前記投影手段で画像を投影させる制御手段とをさらに備えていることを特徴とする請求項１のファクシミリ装置。
【請求項３】
前記投影手段は、１ページ単位の前記画像の全領域を一括して投影することを特徴とする請求項１または２に記載のファクシミリ装置。
【請求項４】
シートを置くシート供給トレイをさらに備え、
前記投影手段は、上記シート供給トレイまたは上記シート供給トレイに置いたシートに前記画像を投影することを特徴とする請求項１、２または３に記載のファクシミリ装置。
【請求項５】
請求項１〜４のいずれか１項に記載のファクシミリ装置の備える前記各手段としてコンピュータを動作させるプログラム。
【請求項６】
請求項５記載のプログラムを記録したコンピュータ読取可能な記録媒体。
【請求項７】
通信データを受信するファクシミリ装置での表示方法であって、
受信した上記通信データから画像データを生成する画像データ生成工程と、
生成した上記画像データをもとに画像を投影する投影工程とを含んでいることを特徴とする表示方法。
【発明の詳細な説明】
【技術分野】
【０００１】
本発明は、印刷しなくても受信した画像を確認可能なファクシミリ、ファクシミリ機能を備えた複合機、およびファクシミリボードを備えたコンピュータなどのファクシミリ装置、そのプログラムおよび記録媒体、ならびに表示方法に関するものである。
【背景技術】
【０００２】
従来、ファクシミリ装置では受信したデータを紙に印刷するのみであった。しかし、近年では、ファクシミリ装置に備えられた液晶ディスプレイ（ＬＣＤ：liquid crystal monitor）からなる表示装置に、受信したデータを印刷する前に表示する方法が用いられるようになってきている。
【０００３】
例えば、特許文献１ではファクシミリ装置が受信したデータを、紙に印刷せずにＬＣＤに表示するファクシミリ装置が開示されている。
【特許文献１】特開平５−１９１５４５号公報（平成５年７月３０日公開）
【発明の開示】
【発明が解決しようとする課題】
【０００４】
しかしながら、印刷前のデータをもとにＬＣＤに画像を表示する上記従来のファクシミリ装置では、一般的にファクシミリ装置の小型化のためにＬＣＤの表示面も小型化されているので、ＬＣＤに表示される画像がユーザにとって見づらいという問題点を有している。また、ＬＣＤの表示面を大型化することで上記問題点を克服しようとした場合には、高価な大型ＬＣＤを備える必要があり、利用者に経済的な負担を与えることになる。他にも、ＬＣＤの表示面を大型化することによって、ファクシミリ装置の小型化が困難になるという問題点が生じる。
【０００５】
本発明は、上記従来の問題点に鑑みなされたものであって、その目的は、小型であるとともに、よりユーザに見やすい画像を提供し得るファクシミリ装置、そのプログラムおよび記録媒体、ならびに表示方法を提供することにある。
【課題を解決するための手段】
【０００６】
本発明のファクシミリ装置は、上記課題を解決するために、通信データを受信する受信手段を備えたファクシミリ装置であって、上記受信手段で受信した上記通信データから画像データを生成する画像データ生成手段と、上記画像データ生成手段で生成した画像データをもとに画像を投影する投影手段を備えていることを特徴としている。
【０００７】
また、本発明の表示方法は、上記課題を解決するために、通信データを受信するファクシミリ装置での表示方法であって、受信した上記通信データから画像データを生成する画像データ生成工程と、生成した上記画像データをもとに画像を投影する投影工程とを含んでいることを特徴とするとしている。
【０００８】
上記の発明によれば、受信手段で受信した通信データから画像データ生成手段で生成した画像データをもとに画像を投影手段で投影する構成になっており、投影手段で画像データを投影するので、ＬＣＤ等の表示装置を用いなくても、上記画像データを印刷する前に、投影手段によって投影された画像データを確認することが可能になる。よって、印刷する必要の無い画像データを印刷しなくても情報を得ることも可能になる。従って、経済的にも利用者の利便性が向上する。また、投影手段に投影レンズが備えられていれば、投影レンズの位置を変えることによって、投影する画像データの表示の大きさを変えることもできる。画像データを投影する場合には、投影手段自体を大型化しなくても容易に投影する画像データの表示の大きさを大きくすることができるので、ファクシミリ装置を大型化しなくても画像データを大きく表示することが可能になる。さらに、画像データが大きく表示されれば、画像データの内容をユーザが判別しやすくなるので、ユーザにとっての利便性が向上する。また、画像データを投影手段によって投影するので、コストのかかる大型ＬＣＤを用いなくても上述のように画像データを大きく表示できる。その結果、小型であるとともに、よりユーザに見やすい画像を提供し得るという効果を奏する。
【０００９】
また、本発明のファクシミリ装置では、前記画像データを格納する格納部と、ユーザの操作に応じて上記格納部から上記画像データを取得するとともに、取得した上記画像データをもとに前記投影手段で画像を投影させる制御手段とをさらに備えていることが好ましい。
【００１０】
これにより、ユーザの操作に応じて制御手段が格納部から画像データを取得し、上記画像データをもとに投影手段で画像を投影させるので、ユーザの操作に応じて画像データを投影することが可能になる。
【００１１】
また、本発明のファクシミリ装置では、前記投影手段は、１ページ単位の前記画像の全領域を一度にまとめて投影することが好ましい。
【００１２】
これにより、１ページ単位の画像の全領域を一度にまとめてプロジェクター部で投影することが可能になるので、送信側の原稿１ページ単位の画像の全領域をユーザが一度に確認することが可能になる。よって、送信側の原稿１ページ単位の画像を複数に分割して順番に表示する構成の場合に生じる、１ページ単位の画像を順番に表示しながらユーザが確認するという煩雑な手間が必要でなくなる。
【００１３】
また、本発明のファクシミリ装置では、シートを置くシート供給トレイをさらに備え、前記投影手段は、上記シート供給トレイまたは上記シート供給トレイに置いたシートに前記画像を投影するが好ましい。
【００１４】
これにより、一般的にファクシミリ装置に備えられているシート供給トレイに画像データを投影することが可能になるので、画像データを投影させる被投影部として、ファクシミリ装置に一般的に備えられていない新たな設備を設ける必要がなくなる。よって、新たなコストを発生させない。
【００１５】
なお、上記ファクシミリ装置は、コンピュータによって実現してもよく、この場合には、コンピュータを上記各手段として動作させることにより、上記ファクシミリ装置をコンピュータにて実現させるプログラム、およびそれを記録したコンピュータ読取り可能な記録媒体も、本発明の範疇に入る。
【発明の効果】
【００１６】
本発明によれば、投影手段で画像データを投影するので、画像データを大きく表示して、画像データの内容をユーザが判別しやすくすることができる。また、コストのかかる大型ＬＣＤを用いなくても画像データを大きく表示できる。他にも、画像データを印刷する前に、投影された画像データを確認することによって、印刷する必要の無い画像データを印刷しなくても情報を得ることも可能になる。さらに、ファクシミリ装置を大型化しなくても画像データを大きく表示することも可能になる。したがって、小型であるとともに、よりユーザに見やすい画像を提供し得るという効果を奏する。
【発明を実施するための最良の形態】
【００１７】
〔実施の形態１〕
本発明の一実施形態について図１ないし図３に基づいて説明すれば、以下の通りである。図１は本発明におけるファクシミリ装置１の機能ブロック図であり、図２はファクシミリ装置１の外観を示す図である。
【００１８】
図１および図２に示すように、本実施の形態におけるファクシミリ装置１は、給紙トレイ３、ファクシミリ（ＦＡＸ）通信部（受信手段、画像データ生成手段）１１、プロジェクター部（投影手段）１２、メモリ１３、第１入力部１４、第１制御部１５、およびプリンタ部１６を備えている。ファクシミリ装置１としてはファクシミリ、ファクシミリ機能を有するコピー機、スキャナ等からなる複合機、およびファクシミリボード（ファクシミリ機能用の制御基板）を備えたコンピュータなどがある。
【００１９】
給紙トレイ（シート供給トレイ）３は、ＦＡＸ送信時の送信原稿、およびＦＡＸ受信時に受信した通信データから得られる画像データを印刷するための記録紙などの紙（シート）を置くものである。給紙トレイ３は上記紙に接する部分が板状になっており、上記紙の少なくとも一部を平面に保って置くことができるようになっている。また、図２に示すように、給紙トレイ３は、紙をファクシミリ装置１の上部にセットできるように備えられている。
【００２０】
ＦＡＸ通信部１１は、ファクシミリ装置１とは別のファクシミリ装置との間で、データ信号によって情報（通信データ）を通信するものである。ＦＡＸ通信部１１は、上記別のファクシミリ装置からファクシミリ装置１に通信データが送信されてきた場合には、上記通信データを受信し、受信した通信データを画像データに変換（生成）する。また、ＦＡＸ通信部１１は、ファクシミリ装置１から上記別のファクシミリ装置に画像データを送信する場合には、上記画像データを通信データに変換して送信する。ここで言う画像データとは、文字のデータのみであってもよいし、図形のデータのみであってもよい。また、文字のデータと図形のデータとの両方を含むデータであってもよい。
【００２１】
プロジェクター部１２は、ファクシミリ装置１の内部に設けられており、ＦＡＸ通信部１１から送られてきた画像データが表す文字および／または図形を給紙トレイ３に向かって投影するものである。また、プロジェクター部１２は備えている投影レンズの位置を変えることによって投影する画像の大きさを変化させることが可能なものである。プロジェクター部１２は、Ａ４サイズ１ページ分（Ａ４サイズ１ページ単位）の情報量をもった画像データ、つまり、プリンタ部１６でＡ４サイズ１ページに印刷するだけの量の画像データをもとにした画像を一括して投影する。また、Ａ４サイズ１ページ分の画像を投影するのは、一般的にＡ４サイズの送信原稿がファクシミリ装置間での通信に最も利用されているからであり、送信原稿１枚分の画像をそのままプロジェクター部１２で投影することを可能にするためである。
【００２２】
なお、本実施の形態においては、Ａ４サイズ１ページ分の画像を投影する構成になっているが、必ずしもこれに限らず、例えばＡ３サイズなど、他の原稿サイズ１ページ分の画像を投影する構成になっていてもよい。この場合、送信側のファクシミリ装置で読み込まれる送信原稿と同じサイズの原稿サイズ１ページ分を投影する構成にすれば、送信原稿の画像をそのままプロジェクター部１２で投影することが可能になる。
【００２３】
また、プロジェクター部１２は、Ａ４サイズ１ページ分の画像を投影する構成の場合には、表示される画像のサイズがＡ４サイズ以上になるように、画像データを拡大して表示することが好ましい。一般的にＡ４サイズの送信原稿がファクシミリ装置間での通信に最も利用されているので、送信原稿のサイズ以上の大きさで画像を投影することが可能になる。これにより、送信原稿のサイズ以上の大きさで画像を投影することが可能になるので、送信原稿よりも見やすい画像データを提供することが可能になる。例えばＡ３サイズなど、他の原稿サイズ１ページ分の画像を投影する構成の場合には、表示される画像データのサイズがＡ３サイズなど、当該他の原稿サイズ以上になるように、画像を拡大して表示してもよい。また、表示される画像のサイズをＡ４サイズとした場合、給紙トレイ３はちょうどＡ４サイズの大きさであるのが好ましい。これにより、例えば表示される画像は、給紙トレイ３にセットされたＡ４サイズの紙にちょうど重なるので感覚的により見やすくなる。
【００２４】
また、プロジェクター部１２で投影する画像データ、およびプリンタ部１６で印刷する画像データは、最終的にそれぞれ投影用または印刷用のデータ形式に変換を行ってから投影もしくは印刷を行う。具体的には、例えば印刷用のデータ形式には「ＣＭＹＫ方式」、表示用のデータ形式には「ＲＧＢ方式」などを用いることができる。
【００２５】
メモリ１３は、ＦＡＸ通信部１１で受信した通信データを変換した画像データを格納するものである。また、第１入力部１４は、上記画像データをもとにした画像の印刷の指示をユーザが行うためのものであって、ユーザから印刷の指示を受けた場合に、第１制御部１５に対して印刷の指示を伝えるものである。続いて、第１制御部１５は、第１入力部からの印刷の指示に従って、メモリ１３に格納されている画像データを読み出して（取得して）プリンタ部１６に送るものである。そして、プリンタ部１６は、第１制御部１５から送られてきた画像データをもとにした画像を給紙トレイ３にセットされている紙に印刷するものである。
【００２６】
次に、図３を用いてファクシミリ装置１の動作について説明する。図３は、ファクシミリ装置１での表示方法の動作フローを示すフローチャートである。
【００２７】
まず、ステップＳ１では、ＦＡＸ通信部１１がファクシミリ装置１の他のファクシミリ装置から送信された通信データを受信する。続いて、ステップＳ２では、ＦＡＸ通信部１１が、受信した通信データを画像データに変換する。そして、画像データをメモリ１３に送って格納するとともに、プロジェクター部１２に送る。
【００２８】
ステップＳ３では、ＦＡＸ通信部１１から送られてきた画像データが表す文字および／または図形（画像）をプロジェクター部１２が投影する。本実施の形態の場合、プロジェクター部１２は、給紙トレイ３に向かって文字および／または図形を投影する。詳しくは、給紙トレイ３に紙がセットされている場合には、給紙トレイ３にセットされた紙に文字および／または図形を投影し、給紙トレイ３に紙がセットされていない場合には、給紙トレイ３の板状になっている部分に直接、文字および／または図形を投影する。
【００２９】
ステップＳ４では、プロジェクター部１２によって投影された画像を見たユーザから、上記画像を印刷するかどうかの指示が第１入力部１４に入力される。そして、第１入力部１４に上記画像を印刷する指示（印刷の指示）が入力された場合（ステップＳ４でＹｅｓ）には、第１入力部１４から第１制御部１５に印刷命令が送られ、ステップＳ５に移る。また、第１入力部１４に上記画像データを印刷する指示が入力されない場合（ステップＳ４でＮｏ）には、ステップＳ４のフローを繰り返す。
【００３０】
ステップＳ５では、第１制御部１５から送られた画像データをもとに、プリンタ部１６が給紙トレイ３にセットされている紙に画像を印刷する。
【００３１】
なお、ステップＳ１〜Ｓ５に加えて、上記通信データを印刷しない指示を行う場合には、以下に説明する構成で行うことができる。例えば、ステップＳ４で、第１入力部１４または第１入力部１４以外の入力部に通信データを印刷しない指示が入力された場合、メモリ１３に格納されている画像データを削除する削除命令を第１制御部１５または第１制御部１５以外の制御部に対して送り、メモリ１３に格納されている画像データを第１制御部１５または第１制御部１５以外の制御部が行う構成であってもよい。また、ステップＳ４で、第１入力部１４または第１入力部１４以外の入力部に通信データを印刷しない指示が入力された場合、メモリ１３に格納されている画像データを削除せずに、第１制御部１５からプリンタ部１６に画像データを送らない構成であってもよい。なお、上述の２つの構成ではステップＳ５は行わない。
【００３２】
また、本実施の形態においては、プロジェクター部１２は、給紙トレイ３にセットされた紙、または給紙トレイ３の板状の部分に画像を投影する構成になっているが、必ずしもこれに限定されず、例えば、ファクシミリ装置１が設置される部屋の壁に投影する構成であってもよい。これにより、給紙トレイ３にセットされた紙または給紙トレイ３の板状の部分を利用する場合と同様に、画像を投影させる被投影部として新たに設備を設ける必要がないので、新たなコストを発生させない。
【００３３】
なお、本実施の形態においては、ＦＡＸ通信部１１で受信したデータから得られる画像データをもとにプリンタ部１６によって画像を印刷する構成になっているが、必ずしもこれに限定されない。例えば、メモリ１３、第１入力部１４、第１制御部１５、およびプリンタ部１６を備えない構成とすることも可能である。この場合、ＦＡＸ通信部１１で受信した通信データから得られる画像データをもとに、プロジェクター部１２によって画像を投影するのみの構成となる。つまり、ステップＳ１〜ステップＳ５によって示したファクシミリ装置１での表示方法の動作フローは、ステップＳ４〜ステップＳ５が行われず、ステップＳ３が行われた後に動作フローが終了する構成になる。
【００３４】
また、本実施の形態では、受信した通信データをＦＡＸ通信部１１で受信するとともに、画像データに変換しているが、必ずしもこれに限らない。例えば、通信データを画像データに変換する機能をプロジェクター部１２、プリンタ部１６、第１制御部１５などの他の部材が備えていてもよいし、通信データを画像データに変換する機能を有する部材（画像データ生成手段）を独立に備えていてもよい。
【００３５】
〔実施の形態２〕
本発明の他の実施の形態について図４および図５に基づいて説明すれば、以下の通りである。なお、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００３６】
まず、図４を用いてファクシミリ装置２の概略的構成について説明をする。図４は、ファクシミリ装置２の機能ブロック図である。
【００３７】
本実施の形態におけるファクシミリ装置２は、ＦＡＸ通信部１１、メモリ（格納部）１３、第１入力部１４、第１制御部１５、プリンタ部１６、プロジェクター部（投影手段）２２、第２入力部２４、および第２制御部（制御手段）２５を備えている。
【００３８】
第２入力部２４は、ＦＡＸ通信部１１で受信した通信データから得られる画像データが表す文字および／または図形（画像）の投影の指示をユーザが行うためのものであって、ユーザから投影の指示を受けた場合に、第２制御部２５に対して投影の指示を伝えるものである。続いて、第２制御部２５は、第２入力部からの投影の指示に従って、メモリ１３に格納されている画像データを読み出してプロジェクター部２２に送るものである。そして、プロジェクター部２２は、第２制御部２５から送られてきた画像データが表す文字および／または図形を給紙トレイ３に向かって投影するものである。また、プロジェクター部１２は、備えている投影レンズの位置を変えることによって投影する画像の大きさを変化させることが可能なものである。
【００３９】
次に、図５を用いてファクシミリ装置２の動作について説明する。図５は、ファクシミリ装置２での表示方法の動作フローを示すフローチャートである。
【００４０】
まず、ステップＳ１１では、ＦＡＸ通信部１１がファクシミリ装置１の他のファクシミリ装置から送信された通信データを受信する。続いて、ステップＳ１２では、ＦＡＸ通信部１１が、受信した通信データを画像データに変換する。そして、画像データをメモリ１３に送って格納する。
【００４１】
ステップＳ１３では、ユーザから、ＦＡＸ通信部１１で受信した通信データから得られる画像データを投影するかどうかの指示が第２入力部２４に入力される。そして、第２入力部２４に画像を投影する指示（投影の指示）が入力された場合（ステップＳ１３でＹｅｓ）には、第２入力部２４から第２制御部２５に投影命令が送られ、ステップＳ１４に移る。また、第２入力部２４に画像を投影する指示が入力されない場合は、ステップＳ１３のフローを繰り返す。
【００４２】
ステップＳ１４では、ＦＡＸ通信部１１から送られてきた画像データが表す文字および／または図形をプロジェクター部２２が投影する。本実施の形態の場合も、プロジェクター部２２は、給紙トレイ３に向かって文字および／または図形を投影する。詳しくは、給紙トレイ３に紙がセットされている場合には、給紙トレイ３にセットされた紙に文字および／または図形を投影し、給紙トレイ３に紙がセットされていない場合には、給紙トレイ３の板状になっている部分に直接、文字および／または図形を投影する。
【００４３】
ステップＳ１５では、プロジェクター部２２によって投影された画像を見たユーザから、上記画像を印刷するかどうかの指示が第１入力部１４に入力される。そして、第１入力部１４に上記画像データを印刷する指示（印刷の指示）が入力された場合（ステップＳ１５でＹｅｓ）には、第１入力部１４から第１制御部１５に印刷命令が送られ、ステップＳ１６に移る。また、第１入力部１４に上記画像データを印刷する指示が入力されない場合（ステップＳ１５でＮｏ）には、ステップＳ１５のフローを繰り返す。
【００４４】
ステップＳ１６では、第１制御部１５から送られた画像データをもとに、プリンタ部１６が給紙トレイ３にセットされている紙に画像を印刷する。
【００４５】
また、本実施の形態においては、プロジェクター部２２は、給紙トレイ３にセットされた紙、または給紙トレイ３の板状の部分に画像を投影する構成になっているが、必ずしもこれに限定されず、例えば、ファクシミリ装置１が設置される部屋の壁に投影する構成であってもよい。これにより、給紙トレイ３にセットされた紙または給紙トレイ３の板状の部分を利用する場合と同様に、画像を投影させる被投影部として新たに設備を設ける必要がないので、新たなコストを発生させない。
【００４６】
なお、本実施の形態においては、ＦＡＸ通信部１１で受信したデータから得られる画像データをもとにプリンタ部１６によって画像を印刷する構成になっているが、必ずしもこれに限定されない。例えば、第１入力部１４、第１制御部１５、およびプリンタ部１６を備えない構成とすることも可能である。この場合、ＦＡＸ通信部１１で受信した通信データから得られる画像データをもとにプロジェクター部２２によって画像を投影するのみの構成となる。つまり、ステップＳ１１〜ステップＳ１６によって示したファクシミリ装置２での表示方法の動作フローは、ステップＳ１５〜ステップＳ１６が行われず、ステップＳ１４が行われた後に動作フローが終了する構成になる。
【００４７】
また、本実施の形態においては第１入力部１４および第２入力部２４の２つを備える構成を示しているが、これは機能ブロックとして２つに分割して示しているのであって、必ずしもこれに限定されない。例えば、第１入力部１４および第２入力部２４をそれぞれ独立の部材として備えてもよいし、第１入力部１４および第２入力部２４を１つの部材として備えてもよい。
【００４８】
なお、本実施の形態においては第１制御部１５および第２制御部２５の２つを備える構成を示しているが、これは機能ブロックとして２つに分割して示しているのであって、必ずしもこれに限定されない。例えば、第１制御部１５および第２制御部２５をそれぞれ独立の部材として備えてもよいし、第１制御部１５および第２制御部２５を１つの部材として備えてもよい。
【００４９】
また、本実施の形態では、受信した通信データをＦＡＸ通信部１１で受信するとともに、画像データに変換しているが、必ずしもこれに限らない。例えば、通信データを画像データに変換（生成）する機能をプロジェクター部２２、プリンタ部１６、第１制御部１５、第２制御部２５などの他の部材が備えていてもよいし、通信データを画像データに変換（生成）する機能を有する部材（画像データ生成手段）を独立に備えていてもよい。
【００５０】
なお、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５１】
最後に、ファクシミリ装置１・２の各ブロック、特にＦＡＸ通信部１１、プロジェクター部１２、第１入力部１４、第１制御部１５、プリンタ部１６、第２入力部２４、第２制御部２５、およびプロジェクター部２６は、ハードウェアロジックによって構成してもよいし、次のようにＣＰＵを用いてソフトウェアによって実現してもよい。
【００５２】
すなわち、ファクシミリ装置１・２は、各機能を実現する制御プログラムの命令を実行するＣＰＵ（central processing unit）、上記プログラムを格納したＲＯＭ（read only memory）、上記プログラムを展開するＲＡＭ（random access memory）、上記プログラムおよび各種データを格納するメモリ等の記憶装置（記録媒体）などを備えている。そして、本発明の目的は、上述した機能を実現するソフトウェアであるファクシミリ装置１・２の制御プログラムのプログラムコード（実行形式プログラム、中間コードプログラム、ソースプログラム）をコンピュータで読取り可能に記録した記録媒体を、ファクシミリ装置１・２に供給し、そのコンピュータ（またはＣＰＵやＭＰＵ）が記録媒体に記録されているプログラムコードを読み出し実行することによっても、達成可能である。
【００５３】
上記記録媒体としては、例えば、磁気テープやカセットテープ等のテープ系、フロッピー（登録商標）ディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００５４】
また、ファクシミリ装置１・２を通信ネットワークと接続可能に構成し、上記プログラムコードを、通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された、搬送波に埋め込まれたコンピュータデータ信号の形態でも実現され得る。
【産業上の利用可能性】
【００５５】
以上のように、本発明のファクシミリ装置、そのプログラムおよび記録媒体、ならびに表示方法は、小型であるとともに、よりユーザに見やすい画像を提供し得るファクシミリ装置を実現する。したがって、本発明は、ファクシミリおよびファクシミリ機能を有する複合機、およびファクシミリボードを備えたコンピュータなどのファクシミリ装置に関連する産業分野に好適に用いることができる。
【図面の簡単な説明】
【００５６】
【図１】本発明におけるファクシミリ装置の機能ブロック図である。
【図２】上記ファクシミリ装置の外観を示す図である。
【図３】上記ファクシミリ装置での表示方法の動作フローを示すフローチャートである。
【図４】本発明におけるファクシミリ装置の他の実施の形態を示す機能ブロック図である。
【図５】本発明の他の実施の形態におけるファクシミリ装置での表示方法の動作フローを示すフローチャートである。
【符号の説明】
【００５７】
１    ファクシミリ装置
２    ファクシミリ装置
３    給紙トレイ
４    投影画像
１１    ＦＡＸ通信部（受信手段、画像データ生成手段）
１２    プロジェクター部（投影手段）
１３    メモリ（格納部）
１４    第１入力部
１５    第１制御部
１６    プリンタ部
２４    第２入力部
２５    第２制御部（制御手段）
２６    プロジェクター部（投影手段）
【図１】
2007267013.tif 000003
【図２】
2007267013.tif 000004
【図３】
2007267013.tif 000005
【図４】
2007267013.tif 000006
【図５】
2007267013.tif 000007